(57)【要約】【課題】電気部品をセットした状態で電気的接続部分を視認できて、電気的接続を確実に行うことができると共に、大きさの異なる電気部品でも所定の位置にセットして電気的に接続することができる電気部品用ソケットを提供する。【解決手段】端縁部１２ａに複数の端子１２ｂが所定のピッチで設けられた表示パネル１２の端縁部１２ａを挟むことにより、各端子１２ｂにコンタクトピン２１の一端部２１ａを接触させて電気的に接続するようにしたソケット１１において、ソケット本体１５とこのソケット本体１５に回動自在に設けられた開閉部材１６とを有し、開閉部材１６の先端部側に、コンタクトピン２１が配設され、これらコンタクトピン２１の一端部２１ａと表示パネル１２の端子１２ｂとの接触状態で、コンタクトピン一端部２１ａが開閉部材１６の先端部側から露出して外部から見えるように構成された。【選択図】      図１
2004281287.tif 000002
【特許請求の範囲】
【請求項１】
端縁部に複数の端子が所定のピッチで設けられた電気部品の前記端縁部を挟むことにより、前記各端子にコンタクトピンの一端部を接触させて電気的に接続するようにした電気部品用ソケットにおいて、
ソケット本体と該ソケット本体に回動自在に設けられた開閉部材とを有し、該開閉部材の先端部側に、前記コンタクトピンが配設され、該コンタクトピンの一端部と前記電気部品端子との接触状態で、該コンタクトピンの一端部が前記開閉部材の先端部側から露出して外部から見えるように構成されたことを特徴とする電気部品用ソケット。
【請求項２】
前記複数のコンタクトピンがコンタクトピン配設部材に取り付けられると共に、該コンタクトピン配設部材が前記開閉部材に着脱自在に設けられ、一方、該開閉部材には、プリント基板が配設され、前記コンタクトピン配設部材を前記開閉部材に取り付けた状態で、前記コンタクトピンの他端部が、前記プリント基板の電極部に接触して電気的に接続されるように構成されたことを特徴とする請求項１に記載の電気部品用ソケット。
【請求項３】
前記コンタクトピンは、細長い板状を呈し、両端部側がそれぞれ略くの字状に折り曲げられたことを特徴とする請求項１又は２に記載の電気部品用ソケット。
【請求項４】
前記コンタクトピンが前記コンタクトピン配設部材に所定のピッチで形成された嵌合溝部に嵌合されるようにしたことを特徴とする請求項２に記載の電気部品用ソケット。
【請求項５】
前記コンタクトピンには、略中央部にアンカー部が突設され、該アンカー部が、前記コンタクトピン配設部材に形成された係止孔に係止されて着脱自在に配設されたことを特徴とする請求項２に記載の電気部品用ソケット。
【請求項６】
前記開閉部材は、開閉部材本体に固定部材が着脱自在に取り付けられ、該固定部材に前記プリント基板が取り付けられると共に、該固定部材に前記コンタクトピン配設部材が着脱自在に取り付けられるようにしたことを特徴とする請求項２に記載の電気部品用ソケット。
【請求項７】
前記ソケット本体及び／又は開閉部材には、前記電気部品に接触して滑り止めを行う滑止め部材を設けたことを特徴とする請求項２に記載の電気部品用ソケット。
【発明の詳細な説明】
【０００１】
【発明の属する技術分野】
この発明は、板状の表示パネル等の電気部品の試験・検査を行うための電気部品用ソケットに関するものである。
【０００２】
【従来の技術】
一般に、エレクトロルミネセンスパネルや液晶表示素子用パネルなど表示パネルや、フレキシブルプリント配線基板等の電気部品が汎用されており、これら電気部品は、表示欠陥個所や表示品位等の試験・検査を行うようにしている。
【０００３】
このフレキシブルプリント配線基板の検査を行うものとして、特許文献１に記載されたようなものがある。
【０００４】
これは、基台にアーム部が回動自在に設けられ、このアーム部には、このアーム部を閉じた状態で、複数のプローブが上下方向に沿うように配設されている。そして、このフレキシブルプリント配線基板が基台とアーム部との間に挿入された状態で、位置決め部材にて押さえられると共に、このアーム部を閉じた状態で、そのプローブがフレキシブルプリント配線基板に接触されて、電気的に接続されるようになっている。
【０００５】
【特許文献１】
実用新案登録第２５５７０６７号公報。
【０００６】
【発明が解決しようとする課題】
しかしながら、このような従来のものにあっては、プローブとフレキシブルプリント配線基板との接触位置がアーム部に隠れて視認することができないため、プローブとフレキシブルプリント配線基板とが確実に接触しているか否か認識できなかった。また、ガイド部により、フレキシブルプリント配線基板を所定の位置に位置決めするようにしていることから、このガイド部に合わない大きさのフレキシブルプリント配線基板は位置決めすることができず、試験・検査が行えず、フレキシブルプリント配線基板の大きさに合わせた異なるソケットが必要となっていた。
【０００７】
そこで、この発明は、上記の点に鑑みてなされたものであり、電気部品をセットした状態で電気的接続部分を視認できて、電気的接続を確実に行うことができると共に、大きさの異なる電気部品でも所定の位置にセットして電気的に接続することができる電気部品用ソケットを提供することを課題としている。
【０００８】
【課題を解決するための手段】
かかる課題を達成するために、請求項１に記載の発明は、端縁部に複数の端子が所定のピッチで設けられた電気部品の前記端縁部を挟むことにより、前記各端子にコンタクトピンの一端部を接触させて電気的に接続するようにした電気部品用ソケットにおいて、ソケット本体と該ソケット本体に回動自在に設けられた開閉部材とを有し、該開閉部材の先端部側に、前記コンタクトピンが配設され、該コンタクトピンの一端部と前記電気部品端子との接触状態で、該コンタクトピンの一端部が前記開閉部材の先端部側から露出して外部から見えるように構成された電気部品用ソケットとしたことを特徴とする。
【０００９】
請求項２に記載の発明は、請求項１に記載の構成に加え、前記複数のコンタクトピンがコンタクトピン配設部材に取り付けられると共に、該コンタクトピン配設部材が前記開閉部材に着脱自在に設けられ、一方、該開閉部材には、プリント基板が配設され、前記コンタクトピン配設部材を前記開閉部材に取り付けた状態で、前記コンタクトピンの他端部が、前記プリント基板の電極部に接触して電気的に接続されるように構成されたことを特徴とする。
【００１０】
請求項３に記載の発明は、請求項１又は２に記載の構成に加え、前記コンタクトピンは、細長い板状を呈し、両端部側がそれぞれ略くの字状に折り曲げられたことを特徴とする。
【００１１】
請求項４に記載の発明は、請求項２に記載の構成に加え、前記コンタクトピンが前記コンタクトピン配設部材に所定のピッチで形成された嵌合溝部に嵌合されるようにしたことを特徴とする。
【００１２】
請求項５に記載の発明は、請求項２に記載の構成に加え、前記コンタクトピンには、略中央部にアンカー部が突設され、該アンカー部が、前記コンタクトピン配設部材に形成された係止孔に係止されて着脱自在に配設されたことを特徴とする。
【００１３】
請求項６に記載の発明は、請求項２に記載の構成に加え、前記開閉部材は、開閉部材本体に固定部材が着脱自在に取り付けられ、該固定部材に前記プリント基板が取り付けられると共に、該固定部材に前記コンタクトピン配設部材が着脱自在に取り付けられるようにしたことを特徴とする。
【００１４】
請求項７に記載の発明は、請求項２に記載の構成に加え、前記ソケット本体及び／又は開閉部材には、前記電気部品に接触して滑り止めを行う滑止め部材を設けたことを特徴とする。
【００１５】
【発明の実施の形態】
以下、この発明の実施の形態について説明する。
【００１６】
図１乃至図２５には、この発明の実施の形態１を示す。
【００１７】
まず構成を説明すると、図中符号１１は、「電気部品用ソケット」としての表示パネル検査用ソケットであり、このソケット１１に「電気部品用ソケット」としての表示パネル１２が挟持されて電気的に接続されることにより、表示パネル１２の試験・検査が行われるように構成されている。
【００１８】
その表示パネル１２は、図１乃至図３に示すように、端縁部１２ａに複数の端子１２ｂが所定のピッチで設けられ、これら端子１２ｂがソケット１１に電気的に接続されるようになっている。
【００１９】
また、この表示パネル検査用ソケット１１は、大別すると、下側に配置されたソケット本体１５と、このソケット本体１５の上側に回動自在に設けられた開閉部材１６とを有している。
【００２０】
そのソケット本体１５は、図４乃至図７に示すように、図中左側端部に、表示パネル１２の端縁部１２ａが載置される載置部１５ａが形成され、この載置部１５ａ上の載置面１５ｂ上に、図４及び図５に示すように、２個所、「滑止め部材」としてのシリコーンゴム１５ｃが設けられている。
【００２１】
また、この載置部１５ａには、表示パネル端縁部１２ａの先端面１２ｃが当接されて位置決めされる位置決め段差部１５ｄが形成されている。
【００２２】
一方、開閉部材１６は、大略すると、開閉部材本体１８と、この開閉部材本体１８に着脱自在に取り付けられ、プリント基板１９が配設された固定部材２０と、この固定部材２０に着脱自在に取り付けられ、コンタクトピン２１が配設されたコンタクトピン配設部材２２とから構成されている。
【００２３】
その開閉部材本体１８は、図８乃至図１３に示すように、平面視において略四角形状を呈し、この両側部に下方に延長された一対の支持片１８ａが形成され、この支持片１８ａが図２及び図３に示すように、回動軸２４によりソケット本体１５に回動自在に取り付けられている。
【００２４】
また、この開閉部材本体１８には、図８に示す平面視において図中左側端部（先端部）に凹所１８ｂが形成され、この凹所１８ｂからコンタクトピン２１の一端部２１ａが露出するように構成されている。そして、この凹所１８ｂの両端部には、表示パネル１２の端縁部１２ｂを押圧して、ソケット本体１５の載置部１５ａとの間で表示パネル端縁部１２ａを挟持する押圧部１８ｃが形成されている。この押圧部１８ｃの下面（押圧面）には、「滑止め部材」としてのシリコーンゴム１８ｄが貼り付けられ、表示パネル１２の滑り止めが行われるように構成されている。
【００２５】
さらに、固定部材２０は、図１４乃至図１９に示すように、略長方形の板状を呈し、開閉部材本体１８に取り付けるための本体用ねじ孔２０ａ及び、コンタクトピン配設部材２２を取り付けるための配設部材用ねじ孔２０ｂが形成されていると共に、プリント基板１９を取り付けるための基板用ねじ孔２０ｃが形成されている。
【００２６】
この基板用ねじ孔２０ｃに上方からねじ２５を螺合させることにより、図３に示すように、プリント基板１９が配設され、配設部材用ねじ孔２０ｂに上方からねじ（図示省略）を螺合させることにより、コンタクトピン配設部材２２が着脱自在に配設され、更に、本体用ねじ孔２０ａに図１に示すように上方からねじ２７を螺合させることにより、開閉部材本体１８の下側に固定部材２０が着脱自在に配設されている。
【００２７】
そして、この固定部材２０とソケット本体１５との間に図３に示すようにコイルスプリング３０が介在されて開閉部材１６が閉じる方向（図３中反時計回り）に付勢されている。
【００２８】
また、コンタクトピン配設部材２２は、図２０乃至図２４に示すように、平面視において長方形状を呈し、図２１乃至図２３に示す側面視において、コンタクトピン配設部材２２の上面部には、平面部２２ａの両側に傾斜面部２２ｂが形成されている。
【００２９】
さらに、このコンタクトピン配設部材２２の上面部には、図２０及び図２４に示すように、コンタクトピン２１が嵌合される嵌合溝部２２ｃが所定のピッチで多数形成されていると共に、この嵌合溝部２２ｃ内には、図２２に示すように、コンタクトピン２１が嵌合される係止孔２２ｄが形成されている。
【００３０】
さらにまた、そのコンタクトピン２１は、導電性及び弾性を有する材料により、図２５に示すように、細長い板状を呈し、両端部側がそれぞれ略くの字状に折り曲げられることにより、中間部２１ｂとこの両側に形成された折曲部２１ｃ，２１ｄとを有している。そして、この中間部２１ｂには、図２５に示すように、コンタクトピン配設部材２２の係止孔２２ｄに挿入されて係止されるアンカー部２１ｅが形成されている。
【００３１】
そして、これらコンタクトピン２１をコンタクトピン配設部材２２の嵌合溝部２２ｃに配設した状態で、これらコンタクトピン２１の一端部２１ａ及び他端部２１ｆが、図３に示すように、コンタクトピン配設部材２２から両側に突出するように構成されている。
【００３２】
これらコンタクトピン２１が配設されたコンタクトピン配設部材２２を、固定部材２２に取り付けた状態で、そのコンタクトピン２１の他端部２１ｆが、プリント基板１９の図示省略の所定の電極に接触されている。この状態では、この他端部２１ｆが形成された折曲部２１ｄ側が弾性変形されることにより、その他端部２１ｆとプリント基板１９の電極とが所定の接圧で接触されて、所定の導通性能が確保されるようになっている。
【００３３】
また、このコンタクトピン２１の一端部２１ａ（図１及び図３中左側端部）は、開閉部材本体１８の凹所１８ｂから露出し、外部から見えるように構成されている。
【００３４】
次に、作用について説明する。
【００３５】
表示パネル１２を表示パネル検査用ソケット１１に電気的に接続するには、まず、開閉部材１６をコイルスプリング３０の付勢力に抗して時計回りに回動させることにより、開閉部材１６の左側端部を開く（図３参照）。
【００３６】
この状態で、表示パネル１２をソケット本体１５の載置部１５ａ上に載置する。この場合には、表示パネル１２の端縁部１２ａの先端面１２ｃを、ソケット本体１５の位置決め段差部１５ｄに当接して位置決めする。
【００３７】
この状態で、開閉部材１６に対する力を解除して行くことにより、開閉部材１６を閉じて行く。そして、開閉部材１６を完全に閉じる前に、各コンタクトピン２１の一端部２１ａが外部から見えるため、これらコンタクトピン２１と、表示パネル１２の端子１２ｂとが一致するように、表示パネル１２を位置合わせする。
【００３８】
この表示パネル１２の位置合わせは、この表示パネル１２の端縁部１２ａの先端面１２ｃを、ソケット本体１５の位置決め段差部１５ｄに当接した状態で、図１中矢印方向にスライドさせて行う。
【００３９】
この位置合わせ時には、ソケット本体１５の載置面１５ｂ及び開閉部材本体１８の押圧部１８ｃにシリコーンゴム１５ｃ，１８ｄが設けられているため、表示パネル１２の滑り止めが行われることから、この表示パネル１２の位置合わせがし易い。
【００４０】
そして、各コンタクトピン２１と表示パネル１２の端子１２ｂとを一致させた後、力を解除することにより、コイルスプリング３０の付勢力にて、開閉部材１６を閉じて、開閉部材本体１８の押圧部１８ｃで、表示パネル１２の端縁部１２ａを押圧して、ソケット本体１５の載置部１５ａとの間で、表示パネル１２を挟持する。
【００４１】
この状態で、コンタクトピン２１の一端部２１ａが、表示パネル１２の端子１２ｂに接触して、このコンタクトピン２１の折曲部２１ｃ側が弾性変形することにより、コンタクトピン２１の一端部２１ａと表示パネル１２の端子１２ｂとの接圧が確保されることとなる。この状態で、表示パネル１２の試験・検査が行われることとなる。
【００４２】
このようなものにあっては、コンタクトピン２１の一端部２１ａを外部から見えるようにすることにより、表示パネル１２の端子１２ｂとの接触部位を視認しながら表示パネル１２を所定の位置に配置できる。従って、コンタクトピン２１の一端部２１ａと表示パネル１２の端子１２ｂとを電気的に確実に接続させることができる。また、従来のようにガイド部にて案内することにより表示パネル１２を配設する必要がないため、表示パネル１２の大きさの異なるものでも、同一の表示パネル検査用ソケット１１にて試験・検査を行うことができる。
【００４３】
さらに、複数のコンタクトピン２１がコンタクトピン配設部材２２に取り付けられると共に、このコンタクトピン配設部材２２が、プリント基板１９が取り付けられた固定部材２０に着脱自在に取り付けられ、この取付け状態で、コンタクトピン２１の他端部２１ｆが、プリント基板１９の電極部に接触して電気的に接続されるように構成されている。してみれば、コンタクトピン配設部材２２を交換することにより、コンタクトピン２１の本数等を容易に変更することができる。
【００４４】
また、コンタクトピン２１は、細長い板状を呈し、両端部側がそれぞれ略くの字状に折り曲げられた折曲部２１ｃ，２１ｄを有し、略直線形状の単純な形状に形成されているため、成形を容易に行うことができる。
【００４５】
さらに、これらコンタクトピン２１は、コンタクトピン配設部材２２に着脱自在に取り付けられているため、表示パネル１２の端子１２ｂの数に応じた数だけ配設することができる。
【００４６】
しかも、このコンタクトピン２１には、アンカー部２１ｅが突設されて形成され、このアンカー部２１ｅを、コンタクトピン配設部材２２の係止孔２２ｄに係止させるだけで、コンタクトピン２１を容易に配設することができる。
【００４７】
また、ソケット本体１５及び開閉部材本体１８には、表示パネル１２に接触して滑り止めを行うシリコーンゴム１５ｃ，１８ｄを設けたため、従来と異なりガイド部が設けられていなくても、表示パネル１２の位置合わせを容易に行うことができる。
【００４８】
なお、上記実施の形態では、「電気部品用ソケット」として表示パネル検査用ソケット１１にこの発明を適用したが、これに限らず、他の装置にも適用できることは勿論である。また、ここでは、「電気部品」として表示パネル１２を用いているが、これに限らず、フレキシブルプリント配線基板等を用いることもできる。
【００４９】
【発明の効果】
以上説明してきたように、請求項１に記載の発明によれば、ソケット本体とこのソケット本体に回動自在に設けられた開閉部材とを有し、この開閉部材の先端部側に、コンタクトピンが配設され、このコンタクトピンの一端部と電気部品端子との接触状態で、このコンタクトピンの一端部が露出するように構成したため、電気部品の端子との接触部位を視認しながら電気部品を所定の位置に配置できる。従って、コンタクトピンの一端部と電気部品端子とを確実に電気的に接続することができると共に、従来のようにガイド部にて案内することにより電気部品を配設する必要がないため電気部品の大きさの異なるものでも、同一の電気部品用ソケットにて試験・検査を行うことができる。
【００５０】
請求項２に記載の発明によれば、複数のコンタクトピンがコンタクトピン配設部材に取り付けられると共に、このコンタクトピン配設部材が開閉部材に着脱自在に設けられ、一方、これら開閉部材には、プリント基板が配設され、コンタクトピン配設部材を開閉部材に取り付けた状態で、コンタクトピンの他端部が、プリント基板の電極部に接触して電気的に接続されるように構成したため、コンタクトピン配設部材側を簡単に交換することができ、コンタクトピンの本数等を容易に変更することができる。
【００５１】
請求項３に記載の発明によれば、コンタクトピンは、細長い板状を呈し、両端部側がそれぞれ略くの字状に折り曲げられたものであるため、成形を容易に行うことができる。
【００５２】
請求項４に記載の発明によれば、コンタクトピンがコンタクトピン配設部材に所定のピッチで形成された嵌合溝部に嵌合されるようにしたため、これらコンタクトピンは、コンタクトピン配設部材に着脱自在に取り付けられていることから、電気部品の端子の数に応じた本数を容易に配設することができる。
【００５３】
請求項５に記載の発明によれば、コンタクトピンには、略中央部にアンカー部が突設され、このアンカー部が、コンタクトピン配設部材に形成された係止孔に係止されて着脱自在に配設されているため、アンカー部を、コンタクトピン配設部材の係止孔に係止させるだけで、コンタクトピンを容易に配設することができ、又、交換も容易に行うことができる。
【００５４】
請求項６に記載の発明によれば、開閉部材は、開閉部材本体に固定部材が着脱自在に取り付けられ、固定部材にプリント基板が取り付けられると共に、この固定部材にコンタクトピン配設部材が着脱自在に取り付けられるようにしたため、固定部材とコンタクトピン配設部材とをサブアッセンブリすることができる。
【００５５】
請求項７に記載の発明によれば、ソケット本体及び／又は開閉部材には、電気部品に接触して滑り止めを行う滑止め部材を設けたため、電気部品の位置合わせを容易に行うことができる。
【図面の簡単な説明】
【図１】この発明の実施の形態に係るＩＣソケットの平面図である。
【図２】同実施の形態に係る図１の正面図である。
【図３】同実施の形態に係る開閉部材を開いた状態を示す断面図である。
【図４】同実施の形態に係るソケット本体の平面図である。
【図５】同実施の形態に係る図４の左側面図である。
【図６】同実施の形態に係るソケット本体の正面図である。
【図７】同実施の形態に係るソケット本体の断面図である。
【図８】同実施の形態に係る開閉部材本体の平面図である。
【図９】同実施の形態に係る図８の左側面図である。
【図１０】同実施の形態に係る開閉部材本体の正面図である。
【図１１】同実施の形態に係る開閉部材本体の底面図である。
【図１２】同実施の形態に係る図８のＡ−Ａ線に沿う断面図である。
【図１３】同実施の形態に係る図８のＢ−Ｂ線に沿う断面図である。
【図１４】同実施の形態に係る固定部材の平面図である。
【図１５】同実施の形態に係る図１４の左側面図である。
【図１６】同実施の形態に係る固定部材の正面図である。
【図１７】同実施の形態に係る固定部材の底面図である。
【図１８】同実施の形態に係る図１７のＤ−Ｄ線に沿う断面図である。
【図１９】同実施の形態に係る図１７のＥ−Ｅ線に沿う断面図である。
【図２０】同実施の形態に係るコンタクトピン配設部材の拡大した平面図である。
【図２１】同実施の形態に係る図２０の右側面図である。
【図２２】同実施の形態に係る図２０のＦ−Ｆ線に沿う断面図である。
【図２３】同実施の形態に係る図２０のＧ−Ｇ線に沿う断面図である。
【図２４】同実施の形態に係る図２０のＨ−Ｈ線に沿う断面図である。
【図２５】同実施の形態に係るコンタクトピンの正面図である。
【符号の説明】
１１  表示パネル検査用ソケット（電気部品用ソケット）
１２  表示パネル（電気部品）
１２ａ  端縁部
１２ｂ  端子
１５  ソケット本体
１５ａ  載置部
１５ｂ  載置面
１５ｃ  シリコーンゴム（滑止め部材）
１６  開閉部材
１８  開閉部材本体
１８ｂ  凹所
１８ｃ  押圧部
１８ｄ  シリコーンゴム（滑止め部材）
１９  プリント基板
２０  固定部材
２１  コンタクトピン
２１ａ  一端部
２１ｂ  中間部
２１ｃ，２１ｄ  折曲部
２１ｅ  アンカー部
２１ｆ  他端部
２２  コンタクトピン配設部材
２２ａ  平面部
２２ｂ  傾斜面部
２２ｃ  嵌合溝部
２２ｄ  係止孔
【図１】
2004281287.tif 000003
【図２】
2004281287.tif 000004
【図３】
2004281287.tif 000005
【図４】
2004281287.tif 000006
【図５】
2004281287.tif 000007
【図６】
2004281287.tif 000008
【図７】
2004281287.tif 000009
【図８】
2004281287.tif 000010
【図９】
2004281287.tif 000011
【図１０】
2004281287.tif 000012
【図１１】
2004281287.tif 000013
【図１２】
2004281287.tif 000014
【図１３】
2004281287.tif 000015
【図１４】
2004281287.tif 000016
【図１５】
2004281287.tif 000017
【図１６】
2004281287.tif 000018
【図１７】
2004281287.tif 000019
【図１８】
2004281287.tif 000020
【図１９】
2004281287.tif 000021
【図２０】
2004281287.tif 000022
【図２１】
2004281287.tif 000023
【図２２】
2004281287.tif 000024
【図２３】
2004281287.tif 000025
【図２４】
2004281287.tif 000026
【図２５】
2004281287.tif 000027